(57)【要約】【課題】サービス品質の低下を抑制しつつ基地局の省電力化を実現可能にする。【解決手段】第１の特徴に係る基地局（ｅＮＢ２００−１）は、移動通信システムにおいて用いられる。前記基地局は、前記基地局と接続するユーザ端末との通信を可能としながら前記基地局の消費電力を低下させる省電力動作を行う制御部を備える。前記制御部は、前記省電力動作を行う前において、前記省電力動作への移行を示す省電力移行通知（Ｃｅｌｌ  Ｔｒａｎｓｉｔｉｏｎ  Ｉｎｄｉｃａｔｉｏｎ）を隣接基地局（ｅＮＢ２００−２）に送信する。【選択図】図１１
2015035681.tif 000002
【特許請求の範囲】
【請求項１】
移動通信システムにおいて用いられる基地局であって、
前記基地局と接続するユーザ端末との通信を可能としながら前記基地局の消費電力を低下させる省電力動作を行う制御部を備え、
前記制御部は、前記省電力動作を行う前において、前記省電力動作への移行を示す省電力移行通知を隣接基地局に送信することを特徴とする基地局。
【請求項２】
前記省電力移行通知は、前記隣接基地局において、前記隣接基地局から前記基地局に対するユーザ端末のハンドオーバを抑制するトリガとして利用されることを特徴とする請求項１に記載の基地局。
【請求項３】
前記省電力動作は、前記基地局から前記隣接基地局に対してユーザ端末のハンドオーバを順次行いつつ前記基地局の消費電力を段階的に低下させる移行動作を含むことを特徴とする請求項１又は２に記載の基地局。
【請求項４】
前記制御部は、前記移行動作を開始した後において、前記隣接基地局の負荷レベルの上昇に基づいて前記移行動作を終了するとともに、前記移行動作の終了を示す移行終了通知を前記隣接基地局に送信することを特徴とする請求項３に記載の基地局。
【請求項５】
前記制御部は、前記移行動作を終了した後の前記省電力動作において、前記移行動作を終了した時点における前記基地局の消費電力状態を維持することを特徴とする請求項４に記載の基地局。
【請求項６】
前記移行終了通知は、前記隣接基地局において、前記隣接基地局から前記基地局に対するユーザ端末のハンドオーバの抑制を解除するトリガとして利用されることを特徴とする請求項４又は５に記載の基地局。
【請求項７】
前記制御部は、前記移行動作において、前記基地局と接続するユーザ端末に対して適用するハンドオーバパラメータを調整することにより、前記基地局から前記隣接基地局に対するユーザ端末のハンドオーバを順次行うことを特徴とする請求項４乃至６の何れか一項に記載の基地局。
【請求項８】
前記制御部は、前記基地局と接続するユーザ端末に対して適用する前記ハンドオーバパラメータを前記省電力移行通知に含めた上で、前記省電力移行通知を前記隣接基地局に送信することを特徴とする請求項７に記載の基地局。
【請求項９】
移動通信システムにおいて用いられる基地局であって、
隣接基地局と接続するユーザ端末との通信を可能としながら前記隣接基地局の消費電力を低下させる省電力動作を前記隣接基地局が行う前において、前記省電力動作への移行を示す省電力移行通知を前記隣接基地局から受信する受信部を備えることを特徴とする基地局。
【請求項１０】
前記受信部が前記省電力移行通知を前記隣接基地局から受信したことに応じて、前記基地局から前記隣接基地局に対するユーザ端末のハンドオーバを抑制する制御を行う制御部をさらに備えることを特徴とする請求項９に記載の基地局。
【請求項１１】
前記省電力動作は、前記隣接基地局から前記基地局に対してユーザ端末のハンドオーバを順次行いつつ前記隣接基地局の消費電力を段階的に低下させる移行動作を含み、
前記受信部は、前記移行動作の終了を示す移行終了通知を前記隣接基地局からさらに受信することを特徴とする請求項１０に記載の基地局。
【請求項１２】
前記制御部は、前記受信部が前記移行終了通知を前記隣接基地局から受信したことに応じて、前記基地局から前記隣接基地局に対するユーザ端末のハンドオーバの抑制を解除することを特徴とする請求項１１に記載の基地局。
【請求項１３】
前記省電力移行通知は、前記隣接基地局と接続するユーザ端末に対して適用するハンドオーバパラメータを含み、
前記制御部は、前記省電力移行通知に含まれる前記ハンドオーバパラメータを、前記基地局と接続するユーザ端末に対して適用することを特徴とする請求項１０に記載の基地局。
【請求項１４】
移動通信システムにおいて用いられる通信制御方法であって、
基地局が省電力動作を行う前において、前記省電力動作への移行を示す省電力移行通知を前記基地局から隣接基地局に送信するステップを備え、
前記省電力動作は、前記基地局と接続するユーザ端末との通信を可能としながら前記基地局の消費電力を低下させる動作であることを特徴とする通信制御方法。
【発明の詳細な説明】
【技術分野】
【０００１】
本発明は、移動通信システムにおいて用いられる基地局及び通信制御方法に関する。
【背景技術】
【０００２】
移動通信システムの標準化プロジェクトである３ＧＰＰ（３ｒｄ  Ｇｅｎｅｒａｔｉｏｎ  Ｐａｒｔｎｅｒｓｈｉｐ  Ｐｒｏｊｅｃｔ）では、基地局の消費電力を削減する省電力（エナジーセービング）技術が導入されている（例えば、非特許文献１参照）。例えば、通信トラフィックの少ない夜間などにおいて、基地局が管理しているセルの運用を停止することにより、基地局の消費電力を削減できる。
【先行技術文献】
【非特許文献】
【０００３】
【非特許文献１】３ＧＰＰ技術報告書  「ＴＲ  ３６．９２７  Ｖ１１．０．０」  ２０１２年９月
【発明の概要】
【発明が解決しようとする課題】
【０００４】
しかしながら、基地局が管理しているセルの運用を停止することにより、基地局の消費電力を削減できるものの、当該セルにおいてユーザ端末との通信が不能になる。従って、サービス品質の低下を抑制しつつ基地局の省電力化を実現することは困難であった。
【０００５】
そこで、本発明は、サービス品質の低下を抑制しつつ基地局の省電力化を実現可能にすることを目的とする。
【課題を解決するための手段】
【０００６】
第１の特徴に係る基地局は、移動通信システムにおいて用いられる。前記基地局は、前記基地局と接続するユーザ端末との通信を可能としながら前記基地局の消費電力を低下させる省電力動作を行う制御部を備える。前記制御部は、前記省電力動作を行う前において、前記省電力動作への移行を示す省電力移行通知を隣接基地局に送信する。
【０００７】
第２の特徴に係る基地局は、移動通信システムにおいて用いられる。前記基地局は、隣接基地局と接続するユーザ端末との通信を可能としながら前記隣接基地局の消費電力を低下させる省電力動作を前記隣接基地局が行う前において、前記省電力動作への移行を示す省電力移行通知を前記隣接基地局から受信する受信部を備える。
【０００８】
第３の特徴に係る通信制御方法は、移動通信システムにおいて用いられる。前記通信制御方法は、基地局が省電力動作を行う前において、前記省電力動作への移行を示す省電力移行通知を前記基地局から隣接基地局に送信するステップを備える。前記省電力動作は、前記基地局と接続するユーザ端末との通信を可能としながら前記基地局の消費電力を低下させる動作である。
【発明の効果】
【０００９】
本発明によれば、サービス品質の低下を抑制しつつ基地局の省電力化を実現できる。
【図面の簡単な説明】
【００１０】
【図１】第１実施形態及び第２実施形態に係るＬＴＥシステム（移動通信システム）の構成図である。
【図２】第１実施形態及び第２実施形態に係るＵＥ（ユーザ端末）のブロック図である。
【図３】第１実施形態及び第２実施形態に係るｅＮＢ（基地局）のブロック図である。
【図４】第１実施形態及び第２実施形態に係る無線インターフェイスのプロトコルスタック図である。
【図５】第１実施形態及び第２実施形態に係る無線フレームの構成図である。
【図６】エナジーセービング技術を説明するための図である（その１）。
【図７】エナジーセービング技術を説明するための図である（その２）。
【図８】第１実施形態及び第２実施形態に係る動作環境を示す図である。
【図９】第１実施形態及び第２実施形態に係る省電力方法の一例としての間欠送信を説明するための図である。
【図１０】第１実施形態及び第２実施形態に係る省電力方法の一例としての送信アンテナ数削減を説明するための図である。
【図１１】第１実施形態に係る動作シーケンス図である。
【図１２】第２実施形態に係る動作シーケンス図である。
【図１３】第２実施形態の変更例に係る動作シーケンス図である。
【発明を実施するための形態】
【００１１】
［実施形態の概要］
第１実施形態及び第２実施形態に係る基地局は、移動通信システムにおいて用いられる。前記基地局は、前記基地局と接続するユーザ端末との通信を可能としながら前記基地局の消費電力を低下させる省電力動作を行う制御部を備える。前記制御部は、前記省電力動作を行う前において、前記省電力動作への移行を示す省電力移行通知を隣接基地局に送信する。
【００１２】
第１実施形態及び第２実施形態では、前記省電力移行通知は、前記隣接基地局において、前記隣接基地局から前記基地局に対するユーザ端末のハンドオーバを抑制するトリガとして利用される。
【００１３】
第１実施形態及び第２実施形態では、前記省電力動作は、前記基地局から前記隣接基地局に対してユーザ端末のハンドオーバを順次行いつつ前記基地局の消費電力を段階的に低下させる移行動作を含む。
【００１４】
第１実施形態では、前記制御部は、前記移行動作を開始した後において、前記隣接基地局の負荷レベルの上昇に基づいて前記移行動作を終了するとともに、前記移行動作の終了を示す移行終了通知を前記隣接基地局に送信する。
【００１５】
第１実施形態では、前記制御部は、前記移行動作を終了した後の前記省電力動作において、前記移行動作を終了した時点における前記基地局の消費電力状態を維持する。
【００１６】
第１実施形態では、前記移行終了通知は、前記隣接基地局において、前記隣接基地局から前記基地局に対するユーザ端末のハンドオーバの抑制を解除するトリガとして利用される。
【００１７】
第２実施形態では、前記制御部は、前記移行動作において、前記基地局と接続するユーザ端末に対して適用するハンドオーバパラメータを調整することにより、前記基地局から前記隣接基地局に対するユーザ端末のハンドオーバを順次行う。
【００１８】
第２実施形態では、前記制御部は、前記基地局と接続するユーザ端末に対して適用する前記ハンドオーバパラメータを前記省電力移行通知に含めた上で、前記省電力移行通知を前記隣接基地局に送信する。
【００１９】
第１実施形態及び第２実施形態に係る基地局は、移動通信システムにおいて用いられる。前記基地局は、隣接基地局と接続するユーザ端末との通信を可能としながら前記隣接基地局の消費電力を低下させる省電力動作を前記隣接基地局が行う前において、前記省電力動作への移行を示す省電力移行通知を前記隣接基地局から受信する受信部を備える。
【００２０】
第１実施形態及び第２実施形態では、前記基地局は、前記受信部が前記省電力移行通知を前記隣接基地局から受信したことに応じて、前記基地局から前記隣接基地局に対するユーザ端末のハンドオーバを抑制する制御を行う制御部をさらに備える。
【００２１】
第１実施形態及び第２実施形態では、前記省電力動作は、前記隣接基地局から前記基地局に対してユーザ端末のハンドオーバを順次行いつつ前記隣接基地局の消費電力を段階的に低下させる移行動作を含む。前記受信部は、前記移行動作の終了を示す移行終了通知を前記隣接基地局からさらに受信する。
【００２２】
第１実施形態では、前記制御部は、前記受信部が前記移行終了通知を前記隣接基地局から受信したことに応じて、前記基地局から前記隣接基地局に対するユーザ端末のハンドオーバの抑制を解除する。
【００２３】
第２実施形態では、前記省電力移行通知は、前記隣接基地局と接続するユーザ端末に対して適用するハンドオーバパラメータを含む。前記制御部は、前記省電力移行通知に含まれる前記ハンドオーバパラメータを、前記基地局と接続するユーザ端末に対して適用する。
【００２４】
第１実施形態及び第２実施形態に係る通信制御方法は、移動通信システムにおいて用いられる。前記通信制御方法は、基地局が省電力動作を行う前において、前記省電力動作への移行を示す省電力移行通知を前記基地局から隣接基地局に送信するステップを備える。前記省電力動作は、前記基地局と接続するユーザ端末との通信を可能としながら前記基地局の消費電力を低下させる動作である。
【００２５】
［第１実施形態］
以下において、本発明をＬＴＥシステムに適用する場合の実施形態を説明する。
【００２６】
（システム構成）
図１は、第１実施形態に係るＬＴＥシステムの構成図である。図１に示すように、第１実施形態に係るＬＴＥシステムは、ＵＥ（Ｕｓｅｒ  Ｅｑｕｉｐｍｅｎｔ）１００、Ｅ−ＵＴＲＡＮ（Ｅｖｏｌｖｅｄ−ＵＭＴＳ  Ｔｅｒｒｅｓｔｒｉａｌ  Ｒａｄｉｏ  Ａｃｃｅｓｓ  Ｎｅｔｗｏｒｋ）１０、及びＥＰＣ（Ｅｖｏｌｖｅｄ  Ｐａｃｋｅｔ  Ｃｏｒｅ）２０を備える。
【００２７】
ＵＥ１００は、ユーザ端末に相当する。ＵＥ１００は、移動型の通信装置であり、接続先のセル（サービングセル）との無線通信を行う。ＵＥ１００の構成については後述する。
【００２８】
Ｅ−ＵＴＲＡＮ１０は、無線アクセスネットワークに相当する。Ｅ−ＵＴＲＡＮ１０は、ｅＮＢ２００（ｅｖｏｌｖｅｄ  Ｎｏｄｅ−Ｂ）を含む。ｅＮＢ２００は、基地局に相当する。ｅＮＢ２００は、Ｘ２インターフェイスを介して相互に接続される。ｅＮＢ２００の構成については後述する。
【００２９】
ｅＮＢ２００は、１又は複数のセルを管理しており、自セルとの接続を確立したＵＥ１００との無線通信を行う。ｅＮＢ２００は、無線リソース管理（ＲＲＭ）機能、ユーザデータのルーティング機能、モビリティ制御・スケジューリングのための測定制御機能などを有する。「セル」は、無線通信エリアの最小単位を示す用語として使用される他に、ＵＥ１００との無線通信を行う機能を示す用語としても使用される。
【００３０】
ＥＰＣ２０は、コアネットワークに相当する。Ｅ−ＵＴＲＡＮ１０及びＥＰＣ２０によりＬＴＥシステムのネットワークが構成される。ＥＰＣ２０は、ＭＭＥ（Ｍｏｂｉｌｉｔｙ  Ｍａｎａｇｅｍｅｎｔ  Ｅｎｔｉｔｙ）／Ｓ−ＧＷ（Ｓｅｒｖｉｎｇ−Ｇａｔｅｗａｙ）３００を含む。ＭＭＥは、ＵＥ１００に対する各種モビリティ制御などを行う。Ｓ−ＧＷは、ユーザデータの転送制御を行う。ＭＭＥ／Ｓ−ＧＷ３００は、Ｓ１インターフェイスを介してｅＮＢ２００と接続される。
【００３１】
図２は、ＵＥ１００のブロック図である。図２に示すように、ＵＥ１００は、複数のアンテナ１０１、無線送受信機１１０、ユーザインターフェイス１２０、ＧＮＳＳ（Ｇｌｏｂａｌ  Ｎａｖｉｇａｔｉｏｎ  Ｓａｔｅｌｌｉｔｅ  Ｓｙｓｔｅｍ）受信機１３０、バッテリ１４０、メモリ１５０、及びプロセッサ１６０を備える。メモリ１５０及びプロセッサ１６０は、ＵＥ１００の制御部を構成する。ＵＥ１００は、ＧＮＳＳ受信機１３０を有していなくてもよい。また、メモリ１５０をプロセッサ１６０と一体化し、このセット（すなわち、チップセット）をプロセッサ１６０’としてもよい。
【００３２】
複数のアンテナ１０１及び無線送受信機１１０は、無線信号の送受信に用いられる。無線送受信機１１０は、プロセッサ１６０が出力するベースバンド信号（送信信号）を無線信号に変換して複数のアンテナ１０１から送信する送信部１１１を含む。また、無線送受信機１１０は、複数のアンテナ１０１が受信する無線信号をベースバンド信号（受信信号）に変換してプロセッサ１６０に出力する受信部１１２を含む。
【００３３】
ユーザインターフェイス１２０は、ＵＥ１００を所持するユーザとのインターフェイスであり、例えば、ディスプレイ、マイク、スピーカ、及び各種ボタンなどを含む。ユーザインターフェイス１２０は、ユーザからの操作を受け付けて、該操作の内容を示す信号をプロセッサ１６０に出力する。ＧＮＳＳ受信機１３０は、ＵＥ１００の地理的な位置を示す位置情報を得るために、ＧＮＳＳ信号を受信して、受信した信号をプロセッサ１６０に出力する。バッテリ１４０は、ＵＥ１００の各ブロックに供給すべき電力を蓄える。
【００３４】
メモリ１５０は、プロセッサ１６０により実行されるプログラム、及びプロセッサ１６０による処理に使用される情報を記憶する。プロセッサ１６０は、ベースバンド信号の変調・復調及び符号化・復号などを行うベースバンドプロセッサと、メモリ１５０に記憶されるプログラムを実行して各種の処理を行うＣＰＵ（Ｃｅｎｔｒａｌ  Ｐｒｏｃｅｓｓｉｎｇ  Ｕｎｉｔ）と、を含む。プロセッサ１６０は、さらに、音声・映像信号の符号化・復号を行うコーデックを含んでもよい。プロセッサ１６０は、後述する各種の処理及び各種の通信プロトコルを実行する。
【００３５】
図３は、ｅＮＢ２００のブロック図である。図３に示すように、ｅＮＢ２００は、複数のアンテナ２０１、無線送受信機２１０、ネットワークインターフェイス２２０、メモリ２３０、及びプロセッサ２４０を備える。メモリ２３０及びプロセッサ２４０は、ｅＮＢ２００の制御部を構成する。
【００３６】
複数のアンテナ２０１及び無線送受信機２１０は、無線信号の送受信に用いられる。無線送受信機２１０は、プロセッサ２４０が出力するベースバンド信号（送信信号）を無線信号に変換して複数のアンテナ２０１から送信する送信部２１１を含む。また、無線送受信機２１０は、複数のアンテナ２０１が受信する無線信号をベースバンド信号（受信信号）に変換してプロセッサ２４０に出力する受信部２１２を含む。
【００３７】
ネットワークインターフェイス２２０は、Ｘ２インターフェイスを介して隣接ｅＮＢ２００と接続され、Ｓ１インターフェイスを介してＭＭＥ／Ｓ−ＧＷ３００と接続される。ネットワークインターフェイス２２０は、Ｘ２インターフェイス上で行う通信及びＳ１インターフェイス上で行う通信に用いられる。
【００３８】
メモリ２３０は、プロセッサ２４０により実行されるプログラム、及びプロセッサ２４０による処理に使用される情報を記憶する。プロセッサ２４０は、ベースバンド信号の変調・復調及び符号化・復号などを行うベースバンドプロセッサと、メモリ２３０に記憶されるプログラムを実行して各種の処理を行うＣＰＵと、を含む。プロセッサ２４０は、後述する各種の処理及び各種の通信プロトコルを実行する。
【００３９】
図４は、ＬＴＥシステムにおける無線インターフェイスのプロトコルスタック図である。図４に示すように、無線インターフェイスプロトコルは、ＯＳＩ参照モデルの第１層乃至第３層に区分されており、第１層は物理（ＰＨＹ）層である。第２層は、ＭＡＣ（Ｍｅｄｉａ  Ａｃｃｅｓｓ  Ｃｏｎｔｒｏｌ）層、ＲＬＣ（Ｒａｄｉｏ  Ｌｉｎｋ  Ｃｏｎｔｒｏｌ）層、及びＰＤＣＰ（Ｐａｃｋｅｔ  Ｄａｔａ  Ｃｏｎｖｅｒｇｅｎｃｅ  Ｐｒｏｔｏｃｏｌ）層を含む。第３層は、ＲＲＣ（Ｒａｄｉｏ  Ｒｅｓｏｕｒｃｅ  Ｃｏｎｔｒｏｌ）層を含む。
【００４０】
物理層は、符号化・復号、変調・復調、アンテナマッピング・デマッピング、及びリソースマッピング・デマッピングを行う。ＵＥ１００の物理層とｅＮＢ２００の物理層との間では、物理チャネルを介してユーザデータ及び制御信号が伝送される。
【００４１】
ＭＡＣ層は、データの優先制御、及びハイブリッドＡＲＱ（ＨＡＲＱ）による再送処理などを行う。ＵＥ１００のＭＡＣ層とｅＮＢ２００のＭＡＣ層との間では、トランスポートチャネルを介してユーザデータ及び制御信号が伝送される。ｅＮＢ２００のＭＡＣ層は、上下リンクのトランスポートフォーマット（トランスポートブロックサイズ、変調・符号化方式）、ＵＥ１００への割当リソースブロック、及び送信電力を決定（スケジューリング）するケジューラを含む。
【００４２】
ＲＬＣ層は、ＭＡＣ層及び物理層の機能を利用してデータを受信側のＲＬＣ層に伝送する。ＵＥ１００のＲＬＣ層とｅＮＢ２００のＲＬＣ層との間では、論理チャネルを介してユーザデータ及び制御信号が伝送される。
【００４３】
ＰＤＣＰ層は、ヘッダ圧縮・伸張、及び暗号化・復号化を行う。
【００４４】
ＲＲＣ層は、制御信号を取り扱う制御プレーンでのみ定義される。ＵＥ１００のＲＲＣ層とｅＮＢ２００のＲＲＣ層との間では、各種設定のための制御信号（ＲＲＣメッセージ）が伝送される。ＲＲＣ層は、無線ベアラの確立、再確立及び解放に応じて、論理チャネル、トランスポートチャネル、及び物理チャネルを制御する。ＵＥ１００のＲＲＣとｅＮＢ２００のＲＲＣとの間に接続（ＲＲＣ接続）がある場合、ＵＥ１００は接続状態（ＲＲＣ接続状態）であり、そうでない場合、ＵＥ１００はアイドル状態（ＲＲＣアイドル状態）である。
【００４５】
ＲＲＣ層の上位に位置するＮＡＳ（Ｎｏｎ−Ａｃｃｅｓｓ  Ｓｔｒａｔｕｍ）層は、セッション管理及びモビリティ管理などを行う。
【００４６】
図５は、ＬＴＥシステムで使用される無線フレームの構成図である。ＬＴＥシステムは、下りリンク（ＤＬ）にはＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ  Ａｃｃｅｓｓ）、上りリンク（ＵＬ）にはＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）がそれぞれ適用される。
【００４７】
図５に示すように、無線フレームは、時間方向に並ぶ１０個のサブフレームで構成される。各サブフレームは、時間方向に並ぶ２個のスロットで構成される。各サブフレームの長さは１ｍｓであり、各スロットの長さは０．５ｍｓである。各サブフレームは、周波数方向に複数個のリソースブロック（ＲＢ）を含み、時間方向に複数個のシンボルを含む。各リソースブロックは、周波数方向に複数個のサブキャリアを含む。１つのサブキャリア及び１つのシンボルによりリソースエレメントが構成される。
【００４８】
ＵＥ１００に割り当てられる無線リソースのうち、周波数リソースはリソースブロックにより構成され、時間リソースはサブフレーム（又はスロット）により構成される。
【００４９】
下りリンクにおいて、各サブフレームの先頭数シンボルの区間は、主に下りリンク制御信号を伝送するための物理下りリンク制御チャネル（ＰＤＣＣＨ）として使用される領域である。また、各サブフレームの残りの部分は、主に下りリンクユーザデータを伝送するための物理下りリンク共有チャネル（ＰＤＳＣＨ）として使用できる領域である。
【００５０】
上りリンクにおいて、各サブフレームにおける周波数方向の両端部は、主に上りリンク制御信号を伝送するための物理上りリンク制御チャネル（ＰＵＣＣＨ）として使用される領域である。各サブフレームにおける残りの部分は、主に上りリンクユーザデータを伝送するための物理上りリンク共有チャネル（ＰＵＳＣＨ）として使用できる領域である。
【００５１】
（エナジーセービング技術）
ＬＴＥシステムには、ｅＮＢ２００の消費電力を削減するエナジーセービング技術が導入されている。図６及び図７は、エナジーセービング技術を説明するための図である。
【００５２】
図６に示すように、ｅＮＢ２００が取り扱う通信トラフィック（すなわち、ｅＮＢ２００がＵＥ１００と送受信するユーザデータ）は、時々刻々と変化する。図６の例では、ｅＮＢ２００が取り扱う通信トラフィックは、早朝の時間帯においてゼロであり、昼間から夕方の時間帯において増大し、その後、夜間から深夜の時間帯において減少する。ｅＮＢ２００の消費電力は、通信トラフィックの変化に追従して変化することが理想的である。
【００５３】
図７に示すように、現状のエナジーセービング技術では、ｅＮＢ２００が管理しているセルの運用を停止するか否か、すなわち、セルをスイッチオフ／オンすることのみが規定されており、ｅＮＢ２００の消費電力を段階的に変化させることができない。図７の例では、ｅＮＢ２００は、通信トラフィックがゼロである時間帯においてセルをスイッチオフし、その他の時間帯ではセルをスイッチオンしており、消費電力が小さい状態と大きい状態との２つの状態のみである。よって、理想的な消費電力に比べて、無駄な消費電力が生じている。
【００５４】
（第１実施形態に係る動作）
次に、第１実施形態に係る動作について説明する。第１実施形態では、ｅＮＢ２００の消費電力をきめ細かに制御するための動作について説明する。
【００５５】
（１）動作概要
図８は、第１実施形態に係る動作環境を示す図である。第１実施形態では、セル種別が異なるｅＮＢ２００からなるヘテロジーニアスネットワークを例に説明する。但し、本発明はヘテロジーニアスネットワークに限定されないことに留意すべきである。
【００５６】
図８に示すように、ｅＮＢ２００−１は、小セルＣ１を管理するｅＮＢ２００である。小セルＣ１とは、マクロセルよりも小型のセルであり、例えばピコセル又はフェムトセルである。ＵＥ１００−１は、ｅＮＢ２００−１が管理する小セルＣ１との接続を確立した状態（接続状態）にある。図８では、１つのＵＥ１００−１のみを図示しているが、実動作環境では、複数のＵＥ１００−１が小セルＣ１との接続を確立した状態にある。
【００５７】
ｅＮＢ２００−２は、マクロセルＣ２を管理するｅＮＢ２００である。マクロセルＣ２は、ＬＴＥシステムにおける一般的なセルであり、大型のセルである。ＵＥ１００−２は、ｅＮＢ２００−２が管理するマクロセルＣ２との接続を確立した状態（接続状態）にある。図８では、１つのＵＥ１００−２のみを図示しているが、実動作環境では、複数のＵＥ１００−２がマクロセルＣ２との接続を確立した状態にある。
【００５８】
小セルＣ１は、マクロセルＣ２内に設けられる。また、ｅＮＢ２００−１及びｅＮＢ２００−２は相互に隣接する関係にあり、ｅＮＢ２００−１とｅＮＢ２００−２との間にはＸ２インターフェイスが確立されている。ｅＮＢ２００−１及びｅＮＢ２００−２は、Ｘ２インターフェイスを介して通信を行うことができる。或いは、ｅＮＢ２００−１及びｅＮＢ２００−２は、Ｓ１インターフェイスを介して通信を行なってもよい。
【００５９】
ｅＮＢ２００−１は、ｅＮＢ２００−１と接続するＵＥ１００−１との通信を可能としながらｅＮＢ２００−１の消費電力を低下させる省電力動作を行う。省電力動作の具体例については後述する。ｅＮＢ２００−１は、省電力動作を行う前において、省電力動作への移行を示す省電力移行通知をｅＮＢ２００−２に送信する。ｅＮＢ２００−２は、省電力移行通知をｅＮＢ２００−１から受信する。これにより、ｅＮＢ２００−２は、ｅＮＢ２００−１が省電力動作に移行することを事前に把握できる。
【００６０】
省電力移行通知は、ｅＮＢ２００−２において、ｅＮＢ２００−２からｅＮＢ２００−１に対するＵＥ１００−２のハンドオーバを抑制するトリガとして利用される。ｅＮＢ２００−２は、省電力移行通知をｅＮＢ２００−１から受信したことに応じて、ｅＮＢ２００−２からｅＮＢ２００−１に対するＵＥ１００−２のハンドオーバを抑制する制御を行う。
【００６１】
このように、省電力動作に移行するｅＮＢ２００−１に対するＵＥ１００−２のハンドオーバを抑制することにより、ｅＮＢ２００−１が効率的に省電力動作に移行できる。さらに、ｅＮＢ２００−２に対するハンドオーバを行ったＵＥ１００−１が再度ｅＮＢ２００−１に対してハンドオーバを行うこと（すなわち、ピンポンハンドオーバ）を防止できる。
【００６２】
省電力動作は、ｅＮＢ２００−２に対してＵＥ１００−１のハンドオーバを順次行いつつｅＮＢ２００−１の消費電力を段階的に低下させる移行動作を含む。これにより、ｅＮＢ２００−２においてＵＥ１００−１の受け入れが不能になるまで、ｅＮＢ２００−１の消費電力を段階的に低下させることができる。
【００６３】
ｅＮＢ２００−１は、移行動作を開始した後において、ｅＮＢ２００−２の負荷レベルの上昇に基づいて移行動作を終了するとともに、移行動作の終了を示す移行終了通知をｅＮＢ２００−２に送信する。移行終了通知は、ｅＮＢ２００−２において、ｅＮＢ２００−２からｅＮＢ２００−１に対するＵＥ１００のハンドオーバの抑制を解除するトリガとして利用される。ｅＮＢ２００−２は、ｅＮＢ２００−２が移行終了通知をｅＮＢ２００−１から受信したことに応じて、ｅＮＢ２００−２からｅＮＢ２００−１に対するＵＥ１００のハンドオーバの抑制を解除する。
【００６４】
ｅＮＢ２００−１は、移行動作を終了した後の省電力動作において、移行動作を終了した時点におけるｅＮＢ２００−１の消費電力状態を維持する。これにより、ｅＮＢ２００−１の消費電力を最適な状態に設定できる。
【００６５】
（２）省電力動作
第１実施形態では、消費電力を削減する方法が異なる複数の省電力方法（省電力モード）を利用する。複数の省電力方法を組み合わせることにより、ｅＮＢ２００の消費電力を段階的に低下させることができる。
【００６６】
省電力方法の種類としては、「間欠送信（ＤＴＸ：Ｄｉｓｃｏｎｔｉｎｕｏｕｓ  Ｔｒａｎｓｍｉｓｓｉｏｎ）」、「送信アンテナ数削減（ＡＮＴ  ｒｅｄｕｃｅｄ）」、「送信電力削減（ＴｘＰｏｗｅｒ  ｒｅｄｕｃｅｄ）」、「通信容量削減（Ｃａｐａｃｉｔｙ  ｒｅｄｕｃｅｄ）」などがある。
【００６７】
間欠送信とは、ｅＮＢ２００が無線信号の送信を間欠的に行う省電力方法である。図９は、間欠送信を説明するための図である。図９に示すように、ｅＮＢ２００は、セル固有参照信号（ＣＲＳ）を間欠的に送信する。図９の例では、ＣＲＳは５サブフレームに１回の割合で送信されている。ｅＮＢ２００は、ＣＲＳを送信しない期間（サブフレーム）に送信停止区間（ＤＴＸ区間）を設定する。送信停止区間においては、ｅＮＢ２００の送信部２１１（特に、パワーアンプ）への給電を停止できるため、省電力化を実現できる。
【００６８】
送信アンテナ数削減とは、ｅＮＢ２００が無線信号の送信に使用するアンテナ数（以下、「使用アンテナ数」という）を減少させる省電力方法である。図１０は、送信アンテナ数削減を説明するための図である。図１０に示すように、ｅＮＢ２００は、複数のアンテナ２０１のうちの一部のみを使用して無線信号を送信する。使用アンテナ数を減少させることにより、ｅＮＢ２００（特に、送信部２１１）の消費電力が低下し、省電力化を実現できる。
【００６９】
送信電力削減とは、ｅＮＢ２００が送信電力を低下させつつ、余剰無線リソースを使用して送信データの冗長伝送を行う省電力方法である。送信電力を低下させることにより、ｅＮＢ２００（特に、送信部２１１）の消費電力が低下し、ｅＮＢ２００の省電力化を実現できる。
【００７０】
通信容量削減とは、ｅＮＢ２００と接続可能なＵＥ数又はｅＮＢ２００が割当可能な無線リソース量を制限する省電力方法である。このような制限を行うことにより、ｅＮＢ２００（特に、プロセッサ２４０）の消費電力が低下し、ｅＮＢ２００の省電力化を実現できる。
【００７１】
また、上述した省電力方法以外に、以下の１）乃至３）の省電力方法を採用してもよい。
【００７２】
１）ＭＢＳＦＮ又はＡＢＳ利用：ＭＢＳＦＮ（ＭＢＭＳ  Ｓｉｎｇｌｅ  Ｆｒｅｑｕｅｎｃｙ  Ｎｅｔｗｏｒｋ）サブフレーム、又はＡＢＳ（Ａｌｍｏｓｔ  Ｂｌａｎｋ  Ｓｕｂｆｒａｍｅ）を設定し、そのサブフレームにおいて送信停止する。
【００７３】
２）ＴＤＤ  ＤｗＰＴＳ  ｉｎ  Ｓｐｅｃｉａｌ  Ｓｕｂｆｒａｍｅ利用：ＴＤＤの場合の無線フレームに含まれるＳｐｅｃｉａｌ  Ｓｕｂｆｒａｍｅ内のＤｗＰＴＳを最小時間に設定し、ＤｗＰＴＳ時間以外において送信停止する。
【００７４】
３）ＴＤＤ  ｄｙｎａｍｉｃ  ｆｒａｍｅ  ｃｏｎｆｉｇｕｒａｔｉｏｎ利用：ＴＤＤ  ｆｒａｍｅ設定（ｃｏｎｆｉｇ．）で下り送信サブフレームが最小となる設定を行い、上り時間において送信停止する。
【００７５】
（３）動作シーケンス
図１１は、第１実施形態に係る動作シーケンス図である。図１１の初期状態において、ｅＮＢ２００−１は、通常動作を行っている。
【００７６】
図１１に示すように、ｅＮＢ２００−１は、通常動作から省電力動作に移行することを決定する。ｅＮＢ２００−１は、例えば自セル（小セルＣ１）で取り扱う通信トラフィックが閾値を下回ったことに応じて、省電力動作への移行を決定する。或いは、ｅＮＢ２００−１は、取り扱う通信トラフィックが少ない時間帯を予め記憶しており、記憶している時間帯と現在時刻との比較により省電力動作への移行を決定してもよい。
【００７７】
ステップＳ１０１において、ｅＮＢ２００−１は、省電力動作を行う前において、省電力動作への移行を示す省電力移行通知（Ｃｅｌｌ  Ｔｒａｎｓｉｔｉｏｎ  Ｉｎｄｉｃａｔｉｏｎ）をｅＮＢ２００−２に送信する。省電力移行通知（Ｃｅｌｌ  Ｔｒａｎｓｉｔｉｏｎ  Ｉｎｄｉｃａｔｉｏｎ）は、送信元セルＩＤ及び送信先セルＩＤを含んでもよい。ｅＮＢ２００−２は、省電力移行通知（Ｃｅｌｌ  Ｔｒａｎｓｉｔｉｏｎ  Ｉｎｄｉｃａｔｉｏｎ）をｅＮＢ２００−１から受信したことに応じて、ｅＮＢ２００−１に対するＵＥ１００−２のハンドオーバを抑制する制御を行う。また、ｅＮＢ２００−２は、自セル（マクロセルＣ２）へのＵＥ１００−１のハンドオーバに備えて、自セルの負荷レベルの監視を開始する。
【００７８】
ステップＳ１０２において、ｅＮＢ２００−１は、移行動作を開始する。具体的には、ｅＮＢ２００−１は、ｅＮＢ２００−２に対してＵＥ１００−１のハンドオーバを行う。ハンドオーバされるＵＥ１００−１は、複数のＵＥ１００−１のうち一部のＵＥ１乃至ｎである。また、ｅＮＢ２００−１は、自セル（小セルＣ１）の負荷レベルを監視しており、消費電力を１段階低下させることができる程度に負荷レベルが低下したか否かを確認する。
【００７９】
ステップＳ１０３において、ｅＮＢ２００−１は、自セル（小セルＣ１）の負荷レベルが低下したことを確認すると、上述した省電力方法のうち少なくとも１つを実施することにより、消費電力を１段階低下させる。例えば、通常動作時の消費電力を基準として、ｅＮＢ２００−１の消費電力を８０％まで低下させる。
【００８０】
ステップＳ１０４において、ｅＮＢ２００−１は、ｅＮＢ２００−２に対してＵＥ１００−１のハンドオーバを行う。ハンドオーバされるＵＥ１００−１は、複数のＵＥ１００−１のうち一部のＵＥ（ｎ＋１）乃至ｍである。また、ｅＮＢ２００−１は、自セル（小セルＣ１）の負荷レベルを監視しており、消費電力をさらに１段階低下させることができる程度に負荷レベルが低下したか否かを確認する。
【００８１】
ステップＳ１０５において、ｅＮＢ２００−１は、自セル（小セルＣ１）の負荷レベルが低下したことを確認すると、上述した省電力方法のうち少なくとも１つを実施することにより、消費電力をさらに１段階低下させる。例えば、通常動作時の消費電力を基準として、ｅＮＢ２００−１の消費電力を５０％まで低下させる。
【００８２】
ステップＳ１０６において、ｅＮＢ２００−１が、ｅＮＢ２００−２に対してＵＥ１００−１のハンドオーバを試みるものの、ｅＮＢ２００−２における負荷レベルが高くなったことにより、ｅＮＢ２００−２によりハンドオーバが拒否される。
【００８３】
具体的には、ステップＳ１０６−１において、ｅＮＢ２００−１は、ＵＥ（ｍ＋１）のハンドオーバのためのハンドオーバ要求をｅＮＢ２００−２に送信する。ステップＳ１０６−２において、ｅＮＢ２００−２は、ハンドオーバ要求に対する拒否通知（Ｈａｎｄｏｖｅｒ  Ｐｒｅｐａｒａｔｉｏｎ  Ｆａｉｌｕｒｅ）をｅＮＢ２００−１に送信する。その際、ｅＮＢ２００−２は、ハンドオーバ拒否の理由を示す情報（Ｃａｕｓｅ）を拒否通知（Ｈａｎｄｏｖｅｒ  Ｐｒｅｐａｒａｔｉｏｎ  Ｆａｉｌｕｒｅ）に含める。Ｃａｕｓｅは、利用可能な無線リソースがないこと（Ｎｏ  Ｒａｄｉｏ  Ｒｅｓｏｕｒｃｅｓ  Ａｖａｉｌａｂｌｅ）、自セルの容量不足であること、又は負荷レベルが閾値を超えたことである。以下においては、Ｃａｕｓｅが「Ｎｏ  Ｒａｄｉｏ  Ｒｅｓｏｕｒｃｅｓ  Ａｖａｉｌａｂｌｅ」である一例について説明する。
【００８４】
拒否通知（Ｈａｎｄｏｖｅｒ  Ｐｒｅｐａｒａｔｉｏｎ  Ｆａｉｌｕｒｅ）を受信したｅＮＢ２００−１は、ハンドオーバ拒否の理由が「Ｎｏ  Ｒａｄｉｏ  Ｒｅｓｏｕｒｃｅｓ  Ａｖａｉｌａｂｌｅ」であることに応じて、これ以上のハンドオーバが不能であると判断し、移行動作を終了する。このように、ｅＮＢ２００−１は、移行動作を開始した後において、ｅＮＢ２００−２の負荷レベルの上昇に基づいて移行動作を終了する。すなわち、ｅＮＢ２００−１は、ｅＮＢ２００−２においてＵＥ１００−１の受け入れが不能になるまで、ｅＮＢ２００−１の消費電力を段階的に低下させる。
【００８５】
ステップＳ１０７において、ｅＮＢ２００−１は、移行動作の終了を示す移行終了通知（Ｃｅｌｌ  Ｓｔａｔｅ  Ｃｈａｎｇｅ  Ｕｐｄａｔｅ）をｅＮＢ２００−２に送信する。移行終了通知（Ｃｅｌｌ  Ｓｔａｔｅ  Ｃｈａｎｇｅ  Ｕｐｄａｔｅ）は、送信元セルＩＤ及び送信先セルＩＤを含んでもよい。ｅＮＢ２００−２は、移行終了通知（Ｃｅｌｌ  Ｔｒａｎｓｉｔｉｏｎ  Ｃｏｍｐｌｅｔｅ）をｅＮＢ２００−１から受信したことに応じて、ｅＮＢ２００−２からｅＮＢ２００−１に対するＵＥ１００のハンドオーバの抑制を解除する。
【００８６】
ステップＳ１０８において、ｅＮＢ２００−１は、移行動作を終了した後の省電力動作において、移行動作を終了した時点におけるｅＮＢ２００−１の消費電力状態を維持する。本シーケンスの例では、ｅＮＢ２００−１は、消費電力を２段階低下させた状態（通常動作時の５０％の消費電力）を維持する。これにより、ｅＮＢ２００−１の消費電力を最適な状態に設定できる。
【００８７】
なお、ｅＮＢ２００−１は、省電力動作時に自セル（小セルＣ１）で取り扱う通信トラフィックが閾値を上回ったことに応じて通常動作への復帰を決定し、復帰動作を行なってもよい。復帰動作では、上述したシーケンスとは逆方向の動作が行われる。
【００８８】
［第１実施形態の変更例］
第１実施形態では、拒否通知（Ｈａｎｄｏｖｅｒ  Ｐｒｅｐａｒａｔｉｏｎ  Ｆａｉｌｕｒｅ）を受信したｅＮＢ２００−１は、ハンドオーバ拒否の理由が「Ｎｏ  Ｒａｄｉｏ  Ｒｅｓｏｕｒｃｅｓ  Ａｖａｉｌａｂｌｅ」であることに応じて、これ以上のハンドオーバが不能であると判断し、移行動作を終了していた。
【００８９】
しかしながら、ｅＮＢ２００−１は、移行動作を直ちに終了するのではなく、ハンドオーバが不能であると判断してから一定時間の経過後にリトライを行なってもよい。これにより、当該一定時間の間にｅＮＢ２００−２の負荷レベルが低下している場合には、移行動作を続行可能になる。なお、当該一定時間は、固定値でもよく、変数（ＥＰＣ２０又はｅＮＢ２００−２による設定も可）でもよい。
【００９０】
また、拒否通知（Ｈａｎｄｏｖｅｒ  Ｐｒｅｐａｒａｔｉｏｎ  Ｆａｉｌｕｒｅ）に基づいてｅＮＢ２００−２の負荷レベルの上昇を判断する方法に代えて、Ｒｅｓｏｕｒｃｅ  Ｓｔａｔｕｓ  Ｒｅｐｏｒｔｉｎｇプロシージャ（ＴＳ３６．４２３参照）を利用してｅＮＢ２００−２の負荷レベルの上昇を判断してもよい。
【００９１】
さらに、ｅＮＢ２００−１は、ｅＮＢ２００−２へのハンドオーバが不能であると判断したことに応じて、ｅＮＢ２００−２以外の隣接ｅＮＢ(２番目の候補の隣接ｅＮＢ)に対して同様の動作を行ってもよい。
【００９２】
［第２実施形態］
第２実施形態について、第１実施形態との相違点を主として説明する。第２実施形態は、システム構成及び動作環境については、第１実施形態と同様である。
【００９３】
（第２実施形態に係る動作）
第２実施形態では、移行動作において適切なハンドオーバを行うための動作について説明する。
【００９４】
（１）動作概要
第２実施形態では、ｅＮＢ２００−１は、移行動作において、ＵＥ１００−１に対して適用するハンドオーバパラメータを調整することにより、ｅＮＢ２００−１からｅＮＢ２００−２に対するＵＥ１００−１のハンドオーバを順次行う。ハンドオーバパラメータの具体例については後述する。ハンドオーバパラメータの調整によりハンドオーバを順次行うことによって、無線環境の悪いＵＥ１００−１（例えばセルエッジＵＥ）を優先的にハンドオーバさせることができる。
【００９５】
第２実施形態では、ｅＮＢ２００−１は、ＵＥ１００−１に対して適用するハンドオーバパラメータを、省電力移行通知（Ｃｅｌｌ  Ｔｒａｎｓｉｔｉｏｎ  Ｉｎｄｉｃａｔｉｏｎ）に含めてｅＮＢ２００−２に送信する。ｅＮＢ２００−２は、省電力移行通知（Ｃｅｌｌ  Ｔｒａｎｓｉｔｉｏｎ  Ｉｎｄｉｃａｔｉｏｎ）に含まれるハンドオーバパラメータを、ｅＮＢ２００−２と接続するＵＥ１００−２に対して適用する。これにより、ｅＮＢ２００−１に対するＵＥ１００−２のハンドオーバを抑制できる。
【００９６】
なお、ハンドオーバパラメータを省電力移行通知（Ｃｅｌｌ  Ｔｒａｎｓｉｔｉｏｎ  Ｉｎｄｉｃａｔｉｏｎ）に含めてｅＮＢ２００−２に送信する場合に限らず、ハンドオーバパラメータの変更要求を省電力移行通知（Ｃｅｌｌ  Ｔｒａｎｓｉｔｉｏｎ  Ｉｎｄｉｃａｔｉｏｎ）に含めてｅＮＢ２００−２に送信してもよい。この場合、特別なハンドオーバパラメータを予めｅＮＢ２００−１及びｅＮＢ２００−２で共有しており、ｅＮＢ２００−２は、ハンドオーバパラメータの変更要求の受信に応じて特別なハンドオーバパラメータの適用を開始する。
【００９７】
（２）ハンドオーバパラメータ
ＵＥ１００−１に適用されるハンドオーバパラメータとは、ＵＥ１００−１により測定される受信状態と比較される閾値（ハンドオーバ閾値）、又は、受信状態若しくはハンドオーバ閾値に付加されるオフセット値である。ＵＥ１００−１により測定される受信状態とは、例えば、ｅＮＢ２００−１及び／又はｅＮＢ２００−２についての参照信号受信電力（ＲＳＲＰ）又は参照信号受信品質（ＲＳＲＱ）である。以下において、ハンドオーバパラメータの具体例について説明する。
【００９８】
（２．１）ハンドオーバパラメータの具体例１
ここでは、ハンドオーバパラメータがサービングセルの受信状態に付加されるオフセット値である一例について説明する。このようなハンドオーバパラメータは、「イベントＡ３パラメータ」と称されることがある。
【００９９】
ハンドオーバパラメータとしてのオフセット値は、設定情報としてｅＮＢ２００−１からＵＥ１００−１に送信され、ＵＥ１００−１においてサービングセルの受信状態と隣接セルの受信状態との比較に使用される。例えば、ＵＥ１００−１は、ｅＮＢ２００−１（サービングセル）についての第１のＲＳＲＰ及びｅＮＢ２００−２（隣接セル）についての第２のＲＳＲＰを測定した後、第１のＲＳＲＰとオフセット値（負の値）との加算結果を、第２のＲＳＲＰと比較する。第２のＲＳＲＰの方が大きい場合、ＵＥ１００−１は、測定結果を含む測定報告をｅＮＢ２００−１に送信する。ｅＮＢ２００−１は、ＵＥ１００−１からの測定報告の受信に応じて、ｅＮＢ２００−２に対するＵＥ１００−１のハンドオーバを行う。これにより、ｅＮＢ２００−１からｅＮＢ２００−２へのハンドオーバを促進し、ｅＮＢ２００−１のカバレッジエリアを仮想的に縮小することできる。
【０１００】
ハンドオーバパラメータとしてのオフセット値は、ｅＮＢ２００−１からｅＮＢ２００−２に送信され、ｅＮＢ２００−２においてＵＥ１００−２に対して適用される。具体的には、オフセット値は、設定情報としてｅＮＢ２００−２からＵＥ１００−２に送信され、ＵＥ１００−２においてサービングセルの受信状態と隣接セルの受信状態との比較に使用される。例えば、ＵＥ１００−２は、ｅＮＢ２００−２（サービングセル）についての第１のＲＳＲＰ及びｅＮＢ２００−１（隣接セル）についての第２のＲＳＲＰを測定した後、第１のＲＳＲＰとオフセット値（正の値）との加算結果を、第２のＲＳＲＰと比較する。第２のＲＳＲＰの方が大きい場合、ＵＥ１００−２は、測定結果を含む測定報告をｅＮＢ２００−２に送信する。ｅＮＢ２００−２は、ＵＥ１００−２からの測定報告の受信に応じて、ｅＮＢ２００−１に対するＵＥ１００−１のハンドオーバを行う。これにより、ｅＮＢ２００−２からｅＮＢ２００−１へのハンドオーバを抑制し、ｅＮＢ２００−２のカバレッジエリアを仮想的に拡大することできる。
【０１０１】
（２．２）ハンドオーバパラメータの具体例２
或いは、ハンドオーバパラメータとしてのオフセット値は、ｅＮＢ２００−１からＵＥ１００−１に送信されずに、ｅＮＢ２００−１においてサービングセルの受信状態と隣接セルの受信状態との比較に使用される。例えば、ＵＥ１００−１は、ｅＮＢ２００−１（サービングセル）についての第１のＲＳＲＰ及びｅＮＢ２００−２（隣接セル）についての第２のＲＳＲＰを測定し、測定結果を含む測定報告を周期的にｅＮＢ２００−１に送信する。ｅＮＢ２００−１は、ＵＥ１００−１からの測定報告に含まれる第１のＲＳＲＰとオフセット値（負の値）との加算結果を、当該測定報告に含まれる第２のＲＳＲＰと比較する。第２のＲＳＲＰの方が大きい場合、ｅＮＢ２００−１は、ｅＮＢ２００−２に対するＵＥ１００−１のハンドオーバを行う。これにより、ｅＮＢ２００−１からｅＮＢ２００−２へのハンドオーバを促進し、ｅＮＢ２００−１のカバレッジエリアを仮想的に縮小することできる。
【０１０２】
また、ハンドオーバパラメータとしてのオフセット値は、ｅＮＢ２００−１からｅＮＢ２００−２に送信され、ｅＮＢ２００−２においてＵＥ１００−２に対して適用される。具体的には、オフセット値は、ｅＮＢ２００−２からＵＥ１００−２に送信されずに、ｅＮＢ２００−２においてサービングセルの受信状態と隣接セルの受信状態との比較に使用される。例えば、ＵＥ１００−２は、ｅＮＢ２００−２（サービングセル）についての第１のＲＳＲＰ及びｅＮＢ２００−１（隣接セル）についての第２のＲＳＲＰを測定し、測定結果を含む測定報告を周期的にｅＮＢ２００−２に送信する。ｅＮＢ２００−２は、ＵＥ１００−２からの測定報告に含まれる第１のＲＳＲＰとオフセット値（正の値）との加算結果を、当該測定報告に含まれる第２のＲＳＲＰと比較する。第２のＲＳＲＰの方が大きい場合、ｅＮＢ２００−２は、ｅＮＢ２００−１に対するＵＥ１００−２のハンドオーバを行う。これにより、ｅＮＢ２００−２からｅＮＢ２００−１へのハンドオーバを抑制し、ｅＮＢ２００−２のカバレッジエリアを仮想的に拡大することできる。
【０１０３】
（３）動作シーケンス
図１２は、第２実施形態に係る動作シーケンス図である。ここでは、上述したハンドオーバパラメータの具体例１を想定する。また、第１実施形態と重複する説明については省略する。
【０１０４】
図１２に示すように、ステップＳ２０１において、ｅＮＢ２００−１は、通常動作から省電力動作に移行することを決定する。ｅＮＢ２００−１は、省電力動作を行う前において、省電力動作への移行を示す省電力移行通知（Ｃｅｌｌ  Ｔｒａｎｓｉｔｉｏｎ  Ｉｎｄｉｃａｔｉｏｎ）をｅＮＢ２００−２に送信する。第２実施形態では、ｅＮＢ２００−１は、ＵＥ１００−１に対して適用するハンドオーバパラメータを、省電力移行通知（Ｃｅｌｌ  Ｔｒａｎｓｉｔｉｏｎ  Ｉｎｄｉｃａｔｉｏｎ）に含める。
【０１０５】
ステップＳ２０２において、ｅＮＢ２００−１は、ＵＥ１００−１に対して適用するハンドオーバパラメータを設定情報（Ｍｅａｓｕｒｅｍｅｎｔ  Ｃｏｎｆｉｇｕｒａｔｉｏｎ）に含めてＵＥ１００−１に送信する。
【０１０６】
ステップＳ２０３において、ＵＥ１００−１は、設定情報（Ｍｅａｓｕｒｅｍｅｎｔ  Ｃｏｎｆｉｇｕｒａｔｉｏｎ）に基づいて、測定結果を含む測定報告をｅＮＢ２００−１に送信する。例えば、ＵＥ１００−１は、ｅＮＢ２００−１（サービングセル）についての第１のＲＳＲＰとオフセット値（負の値）との加算結果よりも、ｅＮＢ２００−２（隣接セル）についての第２のＲＳＲＰの方が大きい場合、測定結果を含む測定報告をｅＮＢ２００−１に送信する。
【０１０７】
ステップＳ２０４において、ｅＮＢ２００−１は、ＵＥ１００−１からの測定報告の受信に応じて、ｅＮＢ２００−２に対するＵＥ１００−１のハンドオーバを決定する。
【０１０８】
ステップＳ２０５において、ｅＮＢ２００−１は、ＵＥ１００−１のハンドオーバのためのハンドオーバ要求をｅＮＢ２００−２に送信する。ｅＮＢ２００−１は、ＵＥ１００−１に対して適用するハンドオーバパラメータを、ハンドオーバ要求に含めてもよい。
【０１０９】
ステップＳ２０６において、ｅＮＢ２００−２は、ハンドオーバ要求に対する受諾通知（Ｈａｎｄｏｖｅｒ  Ｒｅｑｕｅｓｔ  Ａｃｋｎｏｗｌｅｄｇｅ）をｅＮＢ２００−１に送信する。
【０１１０】
ステップＳ２０７において、ｅＮＢ２００−２は、ｅＮＢ２００−１から通知されたハンドオーバパラメータを設定情報（Ｍｅａｓｕｒｅｍｅｎｔ  Ｃｏｎｆｉｇｕｒａｔｉｏｎ）に含めてＵＥ１００−２に送信する。
【０１１１】
ステップＳ２０８において、ｅＮＢ２００−１は、ｅＮＢ２００−２に対するＵＥ１００−１のハンドオーバを行う。その結果、ＵＥ１００−１は、ｅＮＢ２００−２との接続を確立した状態になる。
【０１１２】
ステップＳ２０９において、ｅＮＢ２００−２は、ｅＮＢ２００−１から通知されたハンドオーバパラメータを設定情報（Ｍｅａｓｕｒｅｍｅｎｔ  Ｃｏｎｆｉｇｕｒａｔｉｏｎ）に含めてＵＥ１００−１に送信する。
【０１１３】
［第２実施形態の変更例］
図１３は、第２実施形態の変更例に係る動作シーケンス図である。第１実施形態で説明したように、ｅＮＢ２００−１が省電力方法を順次変更していくことを想定すると、ハンドオーバパラメータも順次更新しながらセルエッジＵＥをハンドオーバさせていくことが好ましい。この場合、ｅＮＢ２００−１からｅＮＢ２００−２に対するハンドオーバパラメータの通知も、周期的に、又は省電力方法が変更されることをトリガとして、複数回行われることが好ましい。
【０１１４】
図１３の例では、ｅＮＢ２００−１が省電力移行通知（Ｃｅｌｌ  Ｔｒａｎｓｉｔｉｏｎ  Ｉｎｄｉｃａｔｉｏｎ）をｅＮＢ２００−２に送信（ステップＳ３０１）した後、省電力方法を変更する（ステップＳ３０２、Ｓ３０４、Ｓ３０６、Ｓ３０８）度に、ｅＮＢ２００−１とｅＮＢ２００−２との間でネゴシエーションを行う（ステップＳ３０３、Ｓ３０５、Ｓ３０７）。かかるネゴシエーションにおいて、ｅＮＢ２００−１は、更新後のハンドオーバパラメータをｅＮＢ２００−２に通知する。
【０１１５】
［その他の実施形態］
上述した各実施形態では、セル種別が異なるｅＮＢ２００からなるヘテロジーニアスネットワークを例に説明したが、本発明はヘテロジーニアスネットワークに限定されるものではなく、セル種別が同じｅＮＢ２００からなるネットワークに対して本発明を適用してもよい。
【０１１６】
また、上述した各実施形態では、セルラ通信システムの一例としてＬＴＥシステムを説明したが、ＬＴＥシステムに限定されるものではなく、ＬＴＥシステム以外のシステムに本発明を適用してもよい。
【符号の説明】
【０１１７】
１０…Ｅ−ＵＴＲＡＮ、２０…ＥＰＣ、１００…ＵＥ、１０１…アンテナ、１１０…無線送受信機、１２０…ユーザインターフェイス、１３０…ＧＮＳＳ受信機、１４０…バッテリ、１５０…メモリ、１６０…プロセッサ、２００…ｅＮＢ、２０１…アンテナ、２１０…無線送受信機、２２０…ネットワークインターフェイス、２３０…メモリ、２４０…プロセッサ、３００…ＭＭＥ／Ｓ−ＧＷ
【図１】
2015035681.tif 000003
【図２】
2015035681.tif 000004
【図３】
2015035681.tif 000005
【図４】
2015035681.tif 000006
【図５】
2015035681.tif 000007
【図６】
2015035681.tif 000008
【図７】
2015035681.tif 000009
【図８】
2015035681.tif 000010
【図９】
2015035681.tif 000011
【図１０】
2015035681.tif 000012
【図１１】
2015035681.tif 000013
【図１２】
2015035681.tif 000014
【図１３】
2015035681.tif 000015